Podtech/llm-jp-corpus-v4-ja_patent huggingface dataset:
(57)【要約】【課題】装置の構造を簡単にしても粒状物質を均一繰り出すことが出来るようにする【解決手段】材料容器５に取出し孔２と取入孔３と調節棒４のついた軸パイプ１を材料容器５を貫通して軸回転させることで粒状物質を均一に繰り出すことが出来るようにした【選択図】    図  ５【実用新案登録請求の範囲】
【請求項１】
取出し孔と調節の出来る取り入れ孔の有るパイプを材料ケースの中で軸回転させて均一に粒状物質を繰り出す装置
【考案の詳細な説明】
【考案の詳細な説明】
【考案が解決しようとする課題】
【１】従来の田植え機による粒状施肥装置は部品数も多く構造が複雑なので作業時の調整と作業後の分解ソウジが困難なため材料を均一に繰り出す機能が低下することが課題でした
【課題を解決するための手段】
【２】機能を低下させないために軸パイプ１に取出し孔２と取入孔３の広さが調節出来る４を付けた物を材料容器５を貫通させて１を軸回転することで材料が均一に出るようにした、この装置を田植え機の植付け条数分に連結させた物を取付けるようにした
【考案の効果】
【３】軸パイプ１を使用することで装置の構造が簡単になり施肥作業時と作業後の保守管理がやりやすく成り、装置の製作費を下げることが出来る
【図面の簡単な説明】
【図１】軸パイプと材料容器の平面図である
【図２】軸パイプと材料容器の正面図である
【図３】軸パイプと材料容器の側面図である
【図４】図１で示したａ→ｂの断面図である
【図５】軸パイプに粒状の物質が入り込む状態を示した断面図である
【図６】軸パイプが半回転して粒状の物質が繰り出す状態を示した断面図である
【符号の説明】
１  軸パイプ
２  取出し孔
３  取入孔
４  調節棒
５  材料容器
６  粒状物質
【図１】
0003104975.tif 000002
【図２】
0003104975.tif 000003
【図３】
0003104975.tif 000004
【図４】
0003104975.tif 000005
【図５】
0003104975.tif 000006
【図６】
0003104975.tif 000007
(57)【要約】      （修正有）【課題】種類の違うどの形状のサポ−ト支柱にも調整ポ−ルを嵌め込む事で簡単に硬球のネット高さのサポ−ト支柱より、ラ−ジ卓球用のネットの高さのサポ−ト支柱にする事が出来、取り外すことで硬球のネットの高さのサポ−ト支柱になるネット高さ調節ポールを提供する。【解決手段】本体の調整ポ−ルを使用する事により、どのようなサポ−ト支柱にも使用可能となり更に本体の調整ポ−ルは比較的軽量でサポ−トに比べ小さく、倶楽部で又選手個人で容易に保管、管理する事が出来る。【選択図】図１
0003104983.tif 000002
【実用新案登録請求の範囲】
【請求項１】
硬球卓球競技に於けるネットの高さに適合するサポ−ト支柱に調整用ポ−ルを嵌合するだけでラ−ジ卓球のネットの高さに対応出来るサポ−ト支柱になり、種類の違うどの形状の支柱にも適応出来るネット調整ポ−ル。
【考案の詳細な説明】
【技術分野】
【０００１】  本考案は、硬球卓球のネットの高さをサポ−トする支柱に調整ポ−ルを上から嵌合するだけでラ−ジ卓球のサポ−トとしてそのまま利用できる。
【背景技術】
【０００２】  ラ−ジボ−ルのネットの高さは１７．２５ｃｍで、従来の硬球卓球のネットの高さ１５．２５ｃｍより２．０ｃｍ高く硬球用サポ−トの支柱では使用できなかった。そこで、調整ポ−ルを嵌合する事でラ−ジ卓球用ネットに使用可能にしたのが万能調整用ポ−ルである。
【考案の開示】
【考案が解決しようとす課題】
【０００３】  ラ−ジ用サポ−トも市場にはあるが、経済的負担も大きく又、硬球サポ−ト支柱には使用出来ない、更に保管場所の問題もある。硬球サポ−トと兼用出来ることにより、ネットも硬球ネットをそのまま使用できる。
【問題を解決するための手段】
【０００４】  本考案は、本体の一部が、パイプ状になっており硬球サポ−トの支柱に嵌合する事により種類の違うどの形状の支柱にも適合出来るようにしている。
【考案の効果】
【０００５】  現状はネットを２．０ｃｍ高くする手段として支柱の穴に調整用の棒又はキャツプを挿入或いは支柱に紐等で固定する必要があるが、支柱に穴のないサポ−トには全く利用出来ない。本品は、支柱の形状如何を問わずラ−ジ用支柱になる。
【考案の実施するための最良の形態】
【０００６】  本考案は、従来ある硬球の支柱に嵌合する為、支柱よりやや大きめ本体のパイプの一部と一方の端部はネットを固定する溝を構成する事によりどの様な支柱にも対応できる調整ポ−ルである。
【実施例】
【０００７】  以下、添付図面に従って実施例を説明する。１は本体で、耐久性の硬質プラスチック成型品。２はネットを固定させる紐の固定溝。３はネットを引張り固定させる為の溝。４は３の溝の深さを変更する事により、硬球支柱穴を隠す為のゴムパッキンを差し込んだ高さの違う支柱にも、容易に使用できる。５は溝を構成することにより、ネットを張った時、紐が移動しないように支柱の中に紐が入り、少々の衝撃にも耐える様になっている。又、支柱の若干の太さの違いにも柔軟に対応出来る調整ポ−ル。
【図面の簡単な説明】
【０００８】
【図１】本考案の上面図、側面図、下面図である。
【図２】ラ−ジ用卓球ネットを張った時の組付図であり一部切欠する。
【符号の説明】
【０００９】  １    ポ−ル本体
Ａ１  上部のネットを固定するための紐
Ａ２  下部のネットを固定するための紐
Ｂ    卓球台と支柱を固定するサポ−トの一種類
Ｃ    ネットを支える支柱
Ｄ    ネットの最上部より本体及び支柱の中を通り引っ張られた紐
Ｅ    ネットの紐を固定させる金具
Ｆ    硬式用ネット
Ｇ    卓球台
【図１】
0003104983.tif 000003
【図２】
0003104983.tif 000004
【手続補正書】
【提出日】平成16年5月20日(2004.5.20)
【手続補正１】
【補正対象書類名】実用新案登録請求の範囲
【補正対象項目名】全文
【補正方法】変更
【補正の内容】
【実用新案登録請求の範囲】
【請求項１】
硬球卓球競技におけるネットの高さ１５．２５ｃｍに適合するサポ−ト支柱に嵌め合わせするだけでラ−ジ卓球競技のネットの高さに対応出来るサポ−ト支柱にする調整用ポ−ルであって、
（１）形状の違うサポ−トを総べて規定の高さ１７．２５ｃｍにするため、調整用ポ−ルの頭に十字に切った深さの違う溝であって調整用ポ−ルを９０°回転させる事により一方の溝より２．７ｍｍ深く切った溝にネットを張ることにより高さが規定の高さに保てる溝と、
（２）調整用ポ−ルの側面に縦割りにした溝、
を備えた調整用ポ−ル。
(57)【要約】      （修正有）【課題】毛先の形状を変更することにより従来の歯磨きの行為で歯の表面、裏面、歯間を効果的に歯磨きができる歯ブラシを提供する。【解決手段】歯ブラシの毛先２を柄１に対して垂直な板状の毛先とすることで、歯に対して平行にブラシを移動した場合は、板状の上部毛先の全体で効率よく多くの面積を磨くことができ、また歯に対して垂直にブラシを移動した場合は、板状の横部毛先全体が歯と歯の間に入り込み効率よく歯と歯の間を磨くことができ、歯ブラシの効果と歯間ブラシの効果を兼ね備えた歯ブラシとなる。【選択図】図１
0003104986.tif 000002
【実用新案登録請求の範囲】
【請求項１】
歯ブラシの毛先形状を板状に変更することにより、従来の歯ブラシと歯間ブラシの効果を同時に得ることを特徴とする歯ブラシである。
【考案の詳細な説明】
【技術分野】
【０００１】  本考案は、歯ブラシの毛先を板状とすることで、従来の歯ブラシと歯間ブラシの効果を同時に得るものである。
【背景技術】
【０００２】  歯磨きをする場合、特に歯並びが悪い人は通常の歯ブラシでは完全に磨くことが出来ず、歯間ブラシを用いて磨いている。
【考案の開示】
【考案が解決しようとする課題】
【０００３】  ２種類の歯ブラシを使用することは経済的、また、時間的にも負担である。さらに毎日行う行為であり歯並びも千差万別であり、歯を守り歯周病予防の観点からも前述の欠点を解決しようとするものである。
【課題を解決するための手段】
【０００４】  本考案は、歯ブラシの毛先形状を板状にすることにより、歯に対して水平方向に磨いた場合の毛先面積が広いため歯の全体部分を磨くことができ、歯ぐきのマッサージ効果も同時に得ることができる。また、垂直方向に磨いた場合は板状の毛先が歯間へ入り込み歯間の磨き効果を得ていることで問題点を解決している。
【考案の効果】
【０００５】  上述の様に、本考案の板状毛先歯ブラシは一度に歯と歯間の磨き効果と歯ぐきのマッサージを同時に行うことができ、歯ブラシとして本来の歯、表面と裏面の磨き効果と歯ぐきのマッサージ、従来の歯間ブラシとしての歯間清掃効果を同時に得ることができる。
【考案を実施するための最良の形態】
【０００６】  従来のとおりに歯を磨き、歯に対して水平方向にブラシを動かし磨いた場合は、歯の表面と裏面の清掃効果を得ることができる、また同時に歯ぐきに対してマッサージ効果を得ることもできる、また歯に対して垂直にブラシを動かした場合は毛先形状が板状のため歯間に入り込み歯間の清掃効果に効果を得ることができる。
【実施例】
【０００７】  以下、添付図面に従って一実施例を説明する。・は耐久性のプラスチック等適宣素材にて一体化形成されたハンドル本体、１は握る部分である。２は毛先でありハンドルに対して平行に板状の毛先が並ぶものであり実際に歯を磨く部分である。【０００８】  本考案の一実施例は上述の如き構成からなるものであるから、従来の歯ブラシとしての機能は勿論であるが、歯間ブラシとしての機能も兼ね備えている。
【図面の簡単な説明】
【０００９】
【図１】  本考案の板状毛先歯ブラシの一実施例を示す正面図である。
【図２】  本歯ブラシの一部切欠断面図である。
【図３】  本歯ブラシの一部上面図である。
【符号の説明】
【００１０】      １  歯ブラシハンドル
２  毛
【図１】
0003104986.tif 000003
【図２】
0003104986.tif 000004
【図３】
0003104986.tif 000005
【手続補正書】
【提出日】平成16年5月22日(2004.5.22)
【手続補正１】
【補正対象書類名】実用新案登録請求の範囲
【補正対象項目名】全文
【補正方法】変更
【補正の内容】
【実用新案登録請求の範囲】
【請求項１】
歯ブラシの毛先形状を板状に変更することにより、歯ブラシと歯間ブラシの効果を同時に得ることを特徴とする板状毛先歯ブラシ。
(57)【要約】【課題】テーブル等の下に置いて下半身を暖める従来の電気暖房器は、使用者がコントローラのスイッチを操作するたびに、電源コードの中間部にあるコントローラのところまで行き、尚且つ床の上に置かれているコントローラのスイッチを手で操作するので屈まなければならず、使用者にとって不便であるという問題がある。使用者が椅子に腰掛けたままスイッチを足で操作でき、使いやすい電気暖房器の提供を目的とする。【解決手段】本体１の側面にコントローラケース４が取り付け、コントローラケース４の上部には足で操作できるスライドスイッチ３、回転式スイッチ５、あるいは押しボタンスイッチ６のいずれかを配置する。【選択図】図１
0003104985.tif 000002
【実用新案登録請求の範囲】
【請求項１】
本体に隣接する外側部分にコントローラを設け、コントローラ上部のスイッチを足で操作できることを特徴とした電気暖房器。
【考案の詳細な説明】
【技術分野】
【０００１】
本考案はテーブルの下等に置き、下半身を暖める電気暖房器に関する。
【背景技術】
【０００２】
テーブルの下に置き椅子に腰掛けて使用できる電気足暖器が、電気こたつのような採暖用の電気暖房器として増えてきている。この種の電気暖房器は、コントローラが電源コードの中間部に取り付けられ、コントローラは使用しているテーブルと部屋の壁のコンセントの中間の床の上に置かれる。
【考案の開示】
【考案が解決しようとする課題】
【０００３】
しかしこのような構成のものでは、使用者がコントローラのスイッチを操作するたびに、電源コードの中間部にあるコントローラのところまで行き、尚且つ床の上に置かれているコントローラのスイッチをそのまま手で操作するか、いったんコントローラ持ち上げてスイッチを操作するが、いずれの場合でも屈まなければならず、使用者にとって不便であるという問題がある。またコントローラが常時床の上に置かれてるため、誤ってコントローラを踏みつけたり、つまずいたりして、怪我をする危険がある。
【課題を解決するための手段】
【０００４】
本考案は上記課題を解決するため、椅子に腰掛けたまま足でスイッチを操作できるようにした。
【考案の効果】
【０００５】
以上のように本考案においては、使用者が椅子に腰掛けたままスイッチを足で操作できるので便利である。
【実施例１】
【０００６】
以下、本考案を実施例によって詳述する。
【０００７】
本体１の側面にコントローラケース４が取り付けられ、コントローラケース４の上部にはスライドスイッチ３が配置され、コントローラケース４からは電源コード２が出ている。
【０００８】
またスイッチは図１で示したスライドスイッチ３の他、図３に示す回転式スイッチ５、図４に示す押ボタンスイッチ６でも構成できる。
【０００９】
次に、以上の構成における使用方法について説明する
【００１０】
テーブル等の下に本考案の電気暖房器を設置する。
【００１１】
使用者はテーブルの周りに置かれた椅子に腰掛け、足でスライドスイッチ３を操作して使用する。
【図面の簡単な説明】
【００１２】
【図１】本考案実施例を示すスライドスイッチで構成された電気暖房器の斜視図である。
【図２】従来の電気暖房器の斜視図である。
【図３】本考案実施例を示す回転式スイッチで構成された電気暖房器の斜視図である。
【図４】本考案実施例を示す押ボタンスイッチで構成された電気暖房器の斜視図である。
【符号の説明】
【００１３】
１    本体
２    電源コード
３    スライドスイッチ
４    コントローラケース
５    回転式ッチ
６    押ボタンスイッチ
【図１】
0003104985.tif 000003
【図２】
0003104985.tif 000004
【図３】
0003104985.tif 000005
【図４】
0003104985.tif 000006
(57)【要約】      （修正有）【課題】盆栽等の植木鉢に水分や，肥料の補給は，鉢内の土の状態を外部からでは観測できないので，それらの補給量や時期については，永年の経験や感に頼らざるを得なかった。【解決手段】鉢１の外周の一部に，縦長で長方形の窓２を設ける事によって，内部の土の状態が容易に観測，確認できるので，水や肥料の補給時期や補給量の判断が容易になり，盆栽等の栽培が簡単にできるようになる。【選択図】図１
0003104988.tif 000002
【実用新案登録請求の範囲】
【請求項１】
植木鉢の一部に縦長で長方形の窓を設け，その部分にガラス、プラスチック，塩化ビニール，アクリル，等の材料を用いて，外部から鉢内の土の状態を透視できる構造とする事。
【考案の詳細な説明】
【技術分野】
【０００１】  本考案は，鉢の中の水分状態を外部から観測確認できる様にするものである。
【背景技術】
【０００２】  今までの植木鉢では，鉢の中に植えられた植物に対して，水分が，多すぎるのか少な過ぎるのか判別することは永年の感に依らざるを得なかった。【０００３】従って，水分が少な過ぎると枯らしてしまい，多過ぎると根腐れをおこすという事が多かった。【０００４】この傾向は，鉢の小さくなるほど面倒で，盆栽を育てる技量を難しくしてきたのである。
【考案の開示】
【考案が解決しようとする課題】
【０００５】  鉢の外部から鉢内の土の水分状態から，土の栄養状態までを観察できて，水分補給の判断、肥料の追肥の可否までを容易にしようとしたものである。
【課題を解決するための手段】
【０００６】  本考案は，鉢の外周の一部を縦長の長方形に刳り貫き，その部分に透明な部品（ガラス，プラスチック，塩化ビニール，アクリル等）を内部側に接着するか，または嵌め込む構造として，鉢内の土の状態を観測，確認できる様にしたものである。
【考案の効果】
【０００７】  本考案により，鉢内の士の状態が容易に確認できる様になり，適量の水分補給，必要な肥料の補給が容易になり，誰でもが盆栽を栽培し，楽しめるようになるのである。
【図面の簡単な説明】
【０００８】
【第１図】
透視窓を正面にもってきた正面全体図
【第２図】
透視窓を右横にもってきた第１図のＡＡ面の断面図
【第３図】
鉢を真上から見た平面図
【名称】
【０００９】１、植木鉢本体を示す
２、鉢内の土の状態を確認するための透視用窓
３、鉢内の余分な水分を逃すための小穴
【図１】
0003104988.tif 000003
【図２】
0003104988.tif 000004
【図３】
0003104988.tif 000005
【手続補正書】
【提出日】平成16年5月20日(2004.5.20)
【手続補正１】
【補正対象書類名】実用新案登録請求の範囲
【補正対象項目名】全文
【補正方法】変更
【補正の内容】
【実用新案登録請求の範囲】
【請求項１】
植木鉢の胴体の一部に、縦長で長方形の穴を刳りぬき、その部分に、材質がアクリルかプラスチック又はガラス等で透明で、厚さ１ｍｍ程度の板状の物を、接着剤で接着させるか、又は嵌め込み式にして取り付けた構造として、この窓から鉢内部の土の状態を観察できるようにした植木鉢。
(57)【要約】      （修正有）【課題】交差する２本のパイプを偏心しないように連結できる接続金具。【解決手段】交差する２本のパイプを連結する金具は、１、２、３で構成される左側部分と、４、５、６で構成される右側部分があり、留めピン７で接続し一体の構造となる。２と５の部分で連結するパイプの半径程度の距離偏心している。円筒状の部分にパイプを挟み、留めネジ８を締めて１と４、３と６で各パイプを挟み込み固定する。１と４、３と６の固定が確実になるよう留めピン７の部分はアソビを持たせた構造となっている。これによりパイプは１と４、３と６で確実に固定され、接続する各パイプの軸は同一平面上に連結することができる。【選択図】図４
0003104984.tif 000002
【実用新案登録請求の範囲】
【請求項１】
交差する２本のパイプを連結する金具は、左右対称の左側部分と右側部分があり、１端の留めピンでつながり一体の構造となる。左右部分の両端はパイプの外径を挟める半円筒状で、中心軸は互いに直交していてひとつの交点を持つ。この交点は軸上でパイプの外径の半分の長さ偏心するよう接続金具の中央部分で偏心を加えた形状となっている。中央部分には左右両側の金具を締め付けられるようにネジが取り付けられ、このネジを締めて両側のパイプを固定する。また、留めピンの部分にはアソビを持たせ、締めネジによる２本のパイプの固定に障害とならず、確実に固定できる構造となっていることを特徴とする。
【請求項２】
請求項１記載の接続金具を２個密着させて使うことにより交差する３本のパイプの軸の延長が１点で交わる連結が可能となる。また、２個の金具は直角とは限らず自由な角度で固定できどのような形状の組立ても可能であることを特徴とする。
【考案の詳細な説明】
【考案の開示】
【考案が解決しようとする課題】
【０００１】  従来の直交クランプと言われる金具で２本の交差するパイプを組み合わせるときにパイプの軸が偏心して同一平面上に接続することは金具の構造上不可能で、外観も複雑な立体にならざるを得ない。この偏心をなくした接続金具を実現することが課題である。
【課題を解決する為の手段】
【０００２】  交差するパイプを偏心しないで連結するにためには、接続金具自体を偏心させた形状にすることを考案した、また、この接続金具２個密着させて使用すると交差する３本のパイプも軸を一致させて連結することが可能となる。
【考案の効果】
【０００３】  パイプの軸を一致させて連結できると形状が単純になり、外観もスッキリした組み立てが実現できる。また、偏心が無いということは、構成される面も同一平面状に連結できて、壁面としても利用価値も高い。そして、３本のパイプを連結するときのひとつの交差角は自在なので、どのような形にでも組み立てられる。
【考案を実施するための最良の形態】
【０００４】  交差する２本のパイプを連結する金具は、１、２、３で構成される左側部分と、４、５、６で構成される右側部分があり、留めピン７で接続し一体の構造となる。２と５の部分で連結するパイプの半径程度の距離偏心している。円筒状の部分にパイプを挟み、留めネジ８を締めて１と４、３と６で各パイプを挟み込み固定する。１と４、３と６の固定が確実になるよう留めピン７の部分はアソビを持たせた構造となっている。これによりパイプは１と４、３と６で確実に固定され、接続する各パイプの軸は図４のように同一平面上に連結することができる。【０００５】  この接続金具を図５のように２個密着させて使うことにより交差する３本のパイプの軸の延長が１点で交わる連結が可能となる。また、２個の金具は直角とは限らず自由な角度で固定できどのような形状の組立ても可能である。
【図面の簡単な説明】
【図１】接続金具を上から見た図である。
【図２】接続金具を横から見た図である。
【図３】接続金具を斜め上から見た図である。
【図４】接続金具１個とパイプ２本を接続した場合の斜視図である。
【図５】接続金具２個とパイプ３本を接続した場合の斜視図である。
【符号の説明】
１  縦方向のパイプの締め金具部分（左側）
２  １と３の中心軸を偏心させながら結合している部分（左側）
３  横方向パイプの締め金具部分（左側）
４  縦方向のパイプの締め金具部分（右側）
５  ４と６の中心軸を偏心させながら結合している部分（右側）
６  横方向パイプの染め金具部分（右側）
７  左側の接続金具と右側の接続金具を連結する留めピン
８  左側の接続金具と右側の接続金具を締め付けるネジ
【図１】
0003104984.tif 000003
【図２】
0003104984.tif 000004
【図３】
0003104984.tif 000005
【図４】
0003104984.tif 000006
【図５】
0003104984.tif 000007
【手続補正書】
【提出日】平成16年5月17日(2004.5.17)
【手続補正１】
【補正対象書類名】実用新案登録請求の範囲
【補正対象項目名】請求項１
【補正方法】変更
【補正の内容】
【請求項１】
交差する２本のパイプを連結する金具は、左右対称の左側部分と右側部分が１端の留めピンで一体となる構造となっており、左右部分の両端はパイプの外径を挟める半円筒状で、中心軸は互いに直交していてパイプの外径の半分の長さ偏心するよう接続金具の中央部分で偏心を加えた形状でパイプの軸の延長が一点で交わる連結するができることを特徴とする接続金具。
【手続補正２】
【補正対象書類名】実用新案登録請求の範囲
【補正対象項目名】請求項２
【補正方法】変更
【補正の内容】
【請求項２】
請求項１記載の接続金具を２個密着させて使うことにより交差する３本のパイプの軸の延長が１点で交わり、自在な交差角度で連結できることを特徴とするとする接続金具。
(57)【要約】      （修正有）【課題】タバコの宿命的な害性を少しでも減少させ、一本当りの害性をダイレクトに減少させたスーパーロングフィルタ付き紙巻タバコの提供。【解決手段】タバコの吸殻五百本を集め、すい残し測定をするに残量の平均が３０％であった。その実情に鑑み「三分の二タバコ」とした。それをする１方で「三倍のフィルタ装着」により実現した。【選択図】図２
0003104989.tif 000002
【実用新案登録請求の範囲】
【請求項１】
一般に市販されているフィルタ付きタバコのフィルタ部分の長さを、タバコ部分の約三倍の長さにした、長大（スーパーロング）フィルタを付ける事で「喫煙の害を急減」させることを特徴としたタバコ。又タバコの部分を既存サイズ長さより切り詰める考案によっても、上記目的を実現する事を請求する。
【考案の詳細な説明】
【技術分野】
【０００１】  本考案は市販されている「紙巻タバコ製造」に関するもの。【０００２】  本考案は市販の紙巻タバコに付随している「フィルタの製造」に関するもの。
【背景技術】
【０００３】  「フィルタ付き紙巻タバコ」の製造に関するもの。
【考案の開示】
【考案が解決しようとする課題】
【０００４】  フィルタ付きタバコが市販され、普及して、既にかなりの歳月が経過してきているが、喫煙の害性解消ははかばかしくない。その原因の一端がフィルタに起因する事を喫煙実験で発見した。その知りえた結果は、葉タバコの長さと、フィルタの長さ寸法の長短に問題解決の課題があることを発見し、それを解決しようとするものである。
【課題を解決するための手段】
【０００５】  考案名称のスーパーロング・フィルタとは簡単には、「三倍フィルタ」とも称すべきもので、葉タバコ部分の三倍の長さにしたフィルタを付随させる事で、「喫煙の害を急減」させる事が可能となった。図２に示す【０００６】それはまた、フィルタの長さに対して、紙巻葉タバコ部分を三分の一切り詰めることでも効果は同様に得られることで課題は解決される。
【考案の効果】
【０００７】  実験により、図３〜８の如くタバコの約二倍のロングフィルタの巻紙をはがして検証するに、吸い口に近い〜６部分はタールによる汚染はほとんどないのに、〜８部分は黒々と汚染されている事がとてもよく分かった。従って、喫煙の害はフィルタを長大な寸法にすることで、かなりの部分減少させうる効果を発見した。
【考案を実施するための最良の形態】
【０００８】  紙巻葉タバコに従来の短小フィルタ（ホープ装着は僅か１７ミリ）に替えて、スーパーロングフィルタ（９７ミリ）を紙巻工程時に装着することで、考案にもとずく効果的な、無害に近いタバコ作りが実施可能となる。
【実施例】
【０００９】  添付の図面に基づき実施例を説明する。図１〜１は９７ミリフィルタであり、〜３の紙巻葉タバコは長さ５２ミリ（市販品のホープ参考例）のものである。〜２は中身のタバコの葉であり、〜９は巻いてある紙の部分展開図である。この図ではフィルタの長さはタバコ部分の１．８７倍としたものである。【００１０】  図２は〜５の葉タバコ部分を三分の二（３４．７ミリ）に切り詰め、９７ミリフィルタとの比率を２，８倍とした図である。タバコ部分を切り詰めた事で一本当りの喫煙の有害性分をロングフィルタと合わせて、タバコの分野でも減少させたものである。この発想は短くても一本は一本だとの習慣性喫煙の心理面に準拠したものである。
【図面の簡単な説明】
【００１１】
【図１】市販タバコ・ホープ〜３の原寸のタバコに、本案のロングフィルタ〜１を装着し、紙巻をした原寸大の図である。
【図２】ホープのタバコを三分の二に切り詰めて（〜５）、スーパーロング（２．８倍）フィルタ（〜４）・タバコとした図である。〜
【図３】〜６と〜８はフィルタの中身であり、〜９の巻紙を展開して、フィルタ（〜１）の汚染状況を図示したことで、汚れ方までが良く見て取れる図である。
【符号の説明】
【００１２】  １  紙巻きしたロングフィルタ
２  葉タバコ
３  紙巻きされたタバコ
４  切り詰めたタバコの２，８倍長さのスーパーロングフィルタ
５  三分の二のタバコ
６  ロングフィルタの吸い口に近い汚染の極めて少ないフィルタの中身
７  切り取られたタバコの部分
８  ロングフィルタのタバコに接した汚れのひどい部分
９  ロングフィルタとタバコのはがした巻紙
【図１】
0003104989.tif 000003
【図２】
0003104989.tif 000004
【図３】
0003104989.tif 000005
【手続補正書】
【提出日】平成16年5月27日(2004.5.27)
【手続補正１】
【補正対象書類名】実用新案登録請求の範囲
【補正対象項目名】全文
【補正方法】変更
【補正の内容】
【実用新案登録請求の範囲】
【請求項１】
フィルタ付きタバコのフィルタ部分の長さを、タバコ部分の約三倍の長さにした、長大フィルタを付けることを特徴としたタバコ
(57)【要約】      （修正有）【課題】スイッチ・コンセントの位置を使用目的に合わせて移動する。【解決手段】スイッチ・コンセントのコードをコードリールに巻き付け位置の変更をする。【選択図】なし【実用新案登録請求の範囲】
【請求項１】
スイッチ・コンセントボックスにガイドレール・コードリールを使用し移動を可能にして位置変更が出来るようにした
【考案の詳細な説明】
【実用新案登録請求の範囲】
【請求項１】
自由に位置変更が出来るスイッチ・コンセント
【考案の詳細な説明】
【考案が解決しようとする課題】
【０００１】現在のスイッチ・コンセントは固定式であり、老人や身障者に使用困難が生じている
【課題を解決するための手段】
【０００２】スイッチ・コンセントにコードリールを使用して移動出来るようにした
【考案の効果】
【０００３】スイッチ・コンセントを移動することにより位置や高さを自由に変更出来、老人や身障者が適切な位置に設定できる
【図面の簡単な説明】
【図面ＮＯ１】
製品・上面図・正面図・底面図
【図面ＮＯ２】
製品・側面図
【図面ＮＯ３】
製品・断面図
0003104981.tif 000002
0003104981.tif 000003
0003104981.tif 000004
0003104981.tif 000005
0003104981.tif 000006
0003104981.tif 000007
【手続補正書】
【提出日】平成16年5月7日(2004.5.7)
【手続補正１】
【補正対象書類名】実用新案登録請求の範囲
【補正対象項目名】全文
【補正方法】変更
【補正の内容】
【実用新案登録請求の範囲】
【請求項１】
正面化粧プレ−トにガイドレ−ルを付け、スィッチ・コンセントをガイドレ−ルと接続
取付け用固定ボックス内に電気コ−ド巻き取り用のコ−ドリ−ルを付けコ−ドリ−ル部の電気コ−ドとスィッチ・コンセントを接続する移動式スィッチ・コンセント
【手続補正２】
【補正対象書類名】明細書
【補正対象項目名】全文
【補正方法】変更
【補正の内容】
【考案の詳細な説明】
【実用新案登録請求の範囲】
【請求項１】
自由に位置変更が出来るスィッチ・コンセント
【考案の詳細な説明】
【０００１】
【考案が解決しようとする課題】
現在のスィッチ・コンセントは固定式であり、老人や身障者に使用困難が生じている
【０００２】
【課題を解決するための手段】
スィッチ・コンセントにコ−ドリ−ルを使用して移動出来るようにした
【０００３】
【考案の効果】
スィッチ・コンセントを移動することにより位置や高さを自由に変更出来、老人や身障者が適切な位置に設定できる
【０００４】
【図面の簡単な説明】
【図１】  上面図
【符号の説明】
１  取付け用固定ボックス
【図２】
正面図
【符号の説明】
１  移動溝隠し材
２  移動用ガイドレ−ル
３  移動式スィッチ・コンセントボックス
４  正面化粧プレ−ト
【図３】
下面図
【符号の説明】
１  取付け用固定ボックス
【図４】
左側面図
【符号の説明】
１  取付け用固定ボックス
２  移動式スィッチ・コンセントボックス
【図５】
右側面図
【符号の説明】
１  取付け用固定ボックス
２  移動式スィッチ・コンセントボックス
【図６】
断面図
【符号の説明】
１  コ−ド巻取り用リ−ル
２  伸縮用電気コ−ド
３  移動式スィッチ・コンセントボックス
４  電源接続用コ−ド
５  照明器具接続用コ−ド
【手続補正３】
【補正対象書類名】図面
【補正対象項目名】全図
【補正方法】変更
【補正の内容】
【図１】
0003104981.tif 000008
【図２】
0003104981.tif 000009
【図３】
0003104981.tif 000010
【図４】
0003104981.tif 000011
【図５】
0003104981.tif 000012
【図６】
0003104981.tif 000013
(57)【要約】【課題】車両に設置されている電球式のマーカーにそのまま取り付け可能なＬＥＤ発光装置を提供する。【解決手段】細長いプリント基板２１に角孔２２をあけ、その中に電球の口金と同形の突起付きプラグ２３を固定する。プラグ２３は、これをソケット２にはめ込んだとき、プリント基板２１が支持板１と平行になるよう、基板２１に斜めに固定する。基板２１には赤色ＬＥＤ２５および電流制限用抵抗２６を取り付ける。ＬＥＤ２５は全部で６個あり、これらを基板上に３ヶ所に分けて配置して、面状に光るようにする。ＬＥＤ２５および抵抗２６はすべて直列にして、プラグ２３の各電極に接続する。【選択図】図４
0003104922.tif 000002
【実用新案登録請求の範囲】
【請求項１】
支持板に対し差込み式電球用ソケットが斜め前方に向けて固定されているマーカーのための交換用ＬＥＤ発光体であって、ＬＥＤを配置した基板に、該差込み式電球ソケットに適合する電球の口金部分と同形の突起付きプラグを取り付け、該ＬＥＤを該プラグと電気的に接続したマーカー用のＬＥＤ発光装置。
【請求項２】
ＬＥＤを複数個、該基板に分散配置した請求項１に記載のマーカー用のＬＥＤ発光装置。
【考案の詳細な説明】
【技術分野】
【０００１】
本考案は電球式マーカーに、電球に代えて装着するＬＥＤ発光装置に関する。
【背景技術】
【０００２】
荷物庫（バン）を備えたトラック等の車両の中には、荷物庫の後面両側の高い位置にマーカー（車高灯とも言う。）を取り付けているものがある。このようなマーカーが付いていれば、車両の大きさがよく分かリ、夜間における車同士の接触事故を防止する効果がある。
【０００３】
従来のマーカーはほとんどが電球式であって、電球の寿命が短い。切れた電球の交換は、梯子をかけて行わなければならないので、簡単ではない。
【０００４】
電球でなくＬＥＤ（発光ダイオード）を用いたマーカーであれば、電球切れの問題がない。しかし、既設の電球式マーカーをそっくりＬＥＤ式のものに交換するとなると費用が嵩む。
【考案の開示】
【考案が解決しようとする課題】
【０００５】
この考案は、車両に設置されている電球式のマーカーにそのまま取り付け可能なＬＥＤ発光装置を提供することを課題とする。
【課題を解決するための手段】
【０００６】
この考案は、支持板に対し差込み式電球用ソケットが斜め前方に向けて固定されているマーカーのための交換用ＬＥＤ発光体であって、ＬＥＤを配置した基板に、該差込み式電球ソケットに適合する電球の口金部分と同形の突起付きプラグを斜めに取り付け、該ＬＥＤを該プラグと電気的に接続したものである（請求項１）。
【０００７】
このＬＥＤ発光装置を装着するには、ソケットに嵌めてある電球を外し、ソケットのＬ字形スリットに突起を合わせるようにしてプラグをソケットの中に押し込み、突起がＬ字スリットの奥にまで達するよう少し捻るだけでよい。
【０００８】
この考案のＬＥＤ発光装置は、電球を外した後のマーカーのソケットに簡単に取り付けることでき、一度交換してしまえば従来のような球切れの心配がなくなる。また、このＬＥＤ発光装置は安価に提供でき、マーカー本体をＬＥＤ式のものにそっくり交換する場合に比べて安上がりである。
【０００９】
なお、基板上に取り付けるＬＥＤは複数個とし、これらを基板上に分散配置することが好ましく（請求項２）、こうすることにより、マーカーが面状に光るので、視認性が向上する。
【考案を実施するための最良の形態】
【００１０】
マーカーは、図１に示すように、全体が細長い形状をしており、金属製の支持板１に電球のソケット２を金具３を介して固定してあり、支持板１に半透明グローブ５を被せてビス６で固定するようになっている。ソケット２は、差込み式電球７のためのもので、電球の口金７ａにある突起７ｂが係合するＬ字形のスリット２ａを備えている。符号１０はソケット２から導かれた電線であリ、この電線を介してソケットには24Vないし12Vの直流電圧が供給される。その他、符号１１は支持板１に被せたゴムパッキン、符号１２は支持板１を車両に取り付けるためのビス孔である。
【００１１】
このマーカーに、電球７に代えて取り付けるのがこの考案のＬＥＤ発光装置２０であリ、これを図２に示す。さらに、取り付けた状態を図４、図５に示す。符号２１は細長いプリント基板であり、これに角孔２２をあけ、その中に上記電球の口金７ａと同形の突起付きプラグ２３を固定する。プラグ２３は、これをソケット２にはめ込んだとき、プリント基板２１が支持板１と平行になるよう、基板２１に対し斜めに固定する。
【００１２】
基板２１には赤色ＬＥＤ２５および電流制限用抵抗２６を取り付ける。ＬＥＤ２５は全部で６個あり、これらを基板上に３ヶ所に分けて配置して、面状に光るようにする。これらＬＥＤ２５および抵抗２６はすべて直列にして、プラグ２３の各電極に接続する。
【００１３】
既設のマーカ（図１）にこのＬＥＤ発光装置２０を装着するには、まず、グローブ５を外して、ソケット２に嵌めてある電球７を外す。次いで、基板２１を摘んで、図３に示すように、ソケット２のＬ字形スリット２ａに突起２３ａを合わせるようにしてプラグ２３をソケット２の中に押し込み、押し込んだ状態で３０度ほど回転すると固定される。このようにソケットにプラグを固定すると、基板２１は支持板１と平行になる（図４、図５）。最後にグローブ５を被せれば取り替えが完了する。
【図面の簡単な説明】
【００１４】
【図１】電球式マーカーの斜視図である。
【図２】ＬＥＤ発光装置の斜視図である。
【図３】ＬＥＤ発光装置を灯具に取り付ける一過程を示す斜視図である。
【図４】灯具に取り付けた状態のＬＥＤ発光装置の斜視図である。
【図５】マーカーの断面図である。
【符号の説明】
【００１５】
１    支持板
２    ソケット
２ａ  Ｌ字形スリット
２０  ＬＥＤ発光装置
２１  基板
２３  プラグ
２３ａ  突起
２５  ＬＥＤ
【図１】
0003104922.tif 000003
【図２】
0003104922.tif 000004
【図３】
0003104922.tif 000005
【図４】
0003104922.tif 000006
【図５】
0003104922.tif 000007
(57)【要約】【課題】ライトの直射を受けないと発光しない反射塗料を利用した従来からのセーフティージャケットに対して、ライトの照射のない場所においても自動車のドライバーに目立つ機能を保有するセーフティージャケットの開発を課題とする。【解決手段】セーフティージャケットの本体にＥＬシート収納帯３を縫着し、ジャケット本体襟部及び背部に縫着したＥＬシート収納帯３にＥＬシート露出窓７を設け、そこから防水保護処理をしたＥＬシート６を露出させて、ＥＬシート収納帯３内に装置したＥＬ発光用電源システムよりＥＬシート６に通電印加して、点滅発光をさせる。【選択図】図１
0003104967.tif 000002
【実用新案登録請求の範囲】
【請求項１】
平面発光素子ＥＬ（エレクトロルミネッセンス）シートから成る点滅発光基盤を表面に装着したセーフティージャケット。
【考案の詳細な説明】
【考案の開示】
【考案が解決しようとする課題】
【０００１】  道路工事現場などで作業者が着用しているところの反射塗料を塗布した帯をジャケットとの本体に縫着した従来のセーフティージャケットでは、自動車のヘッドライトの正面に対峙しないと反射光がドライバーに届かず、ヘッドライトの当たらない道路の側面や暗闇に居る者の存在はドライバーにとって盲点であり、道路面に急に飛び出されると咄嗟の対応が出来ずに事故に至るケースが多く、これが反射塗料を利用した従来のセーフティージャケットの最大の難点であった。これに対応してジャケットの襟元にＬＥＤ発光素子を配列したものも考案されているが、点発光のために目立ちにくい難点がある。本考案は、こうした課題を解決するために成されたものである。
【課題を解決するための手段】
【０００２】  〔図１〕〔図２〕に示されるようにセーフティージャケット本体の生地面に不透明な袋状のＥＬシート収納帯３を縫着して、ジャケット本体の襟部及び背面部のＥＬシート収納帯３の一部にＥＬシート露出窓７を設けてＥＬシート６を露出させる。ＥＬシート収納帯３に内蔵装置されたＥＬシート６の電力入力回路とＥＬシート６の発光用電源システムを接続してＥＬシート６の点滅発光に機能させる。ＥＬシート６への電源システムは、▲１▼充電式乾電池⇒▲２▼通電スイッチ⇒▲３▼ＩＣチップ⇒▲４▼インバーターの順で直流低電圧を低容量ではあるが交流高電圧、高周波に変換してＥＬシート６に印加して発光させる。ＩＣチップは点滅発光に機能するものである。本考案の使用にあたっては▲２▼通電スイッチの切り替えによってＥＬシート６の発光及び消光が選択できる。又利用時のジャケット着脱に際しては〔図１〕正面図のマジックテープで保持された左右のジャケット本体着脱帯４を操作することで容易に着脱が可能である。
【考案の効果】
【０００３】  ＥＬシートはＬＥＤとは異なり、平面発光素子であるために０．１７ｍｍ〜０．２５ｍｍほどの薄膜フィルムの平面構成による広い面積で自主発光できるので目立ち易く、自動車のヘッドライトの直射を受けられない道路側面や暗闇に存在する作業者でも自主発光によりドライバーに確実に存在を知らせることができるので、道路工事作業中の悲惨な交通事故を未然に防ぐことができる。さらにＥＬシート６は薄膜であるので柔軟性に富みセーフティージャケットの着脱に抵抗がなく、折りたたんでの保管においても無理が生じない。
【実施例１】
【０００４】ＥＬシートの発光用電源はニッケル水素タイプの単３乾電池１．５Ｖ×４（ヶ）を直列に配列した充電式乾電池を電源として、駆動用インバーターを通し、約１２０Ｖ、１．５ＫＨｚの低容量交流に変換して、点滅発光基盤となるＥＬシート６に印加して点滅発光を行う。
【実施例２】
【０００５】ｊ
セーフティージャケットは雨中にても着用するので、湿度や水分に弱いＥＬシート６は透明なプラスチックフィルム容器に密閉し、雨水や湿度に触れないように保護する。同時に低容量ではあり、極端な感電ショックはないがインバーターで変換された高圧電流が漏電して、利用者の身体に流れ刺激を与えないように配線回路にも絶縁体による完全なる被覆処理を行う。
【図面の簡単な説明】
【０００６】
【図１】  本考案のジャケットを示した正面図である。
【図２】  本考案のジャケットを示した背面図である。
【符号の説明】
１  ジャケット本体背部裏地
２  ジャケット本体襟部表地
３  ＥＬシート収納帯
４  ジャケット本体着脱帯
５  ジャケット本体背部表地
６  ＥＬシート
７  ＥＬシート露出窓
【図１】
0003104967.tif 000003
【図２】
0003104967.tif 000004
(57)【要約】【課題】収納計画において、物を的確な場所に収め、かつ省スペースでの収納力を最大限に生かす為に、引出し及び棚板位置を容易かつ自由に移動させ得るレール構造を提供する事を課題としている。【解決手段】収納家具においてケーシングの内側、レール取付部分にあたる側板内側の水平方向に三角形状又は波形状の溝を多段に形成する事により、これらすべてをレールとする。この収納にはめ込まれる引出し・棚板の左右外側にも同様の溝加工を施してレール受けとし、両者のオスメスの組合せによって引出し及び棚の位置移動を可能とした、レール構造。特別な金具の取付等は一切ないので、持ち物や使用者の体格、生活スタイルの変化に合わせて簡単に収納計画ができる。【選択図】図２
0003104970.tif 000002
【実用新案登録請求の範囲】
【請求項１】
収納家具においてケーシングの内側、レール取付部分にあたる側板内側の水平方向に三角形状又は波形状の溝を多段に形成する事により、これらをすべてレールとし、この収納にはめ込まれる引出し・棚板の左右外側にも同様の溝加工を施してレール受けとし、両者のオスメスの組合せにより引出し及び棚の位置移動を可能とするべく構成された事を特徴とする、レール構造。
【考案の詳細な説明】
【技術分野】
【０００１】収納家具における引出しレール構造に関する技術分野
【背景技術】
【０００２】収納における棚板の取付方法は、固定やダボによる棚板位置の仮固定の他、前もって背板に支柱を埋込み、これに棚受け金具を取付ける事により棚板位置を仮固定等が挙げられる。又、引出しに関しては、レールはどのような構造の部品にしろ一箇所に限定され、引出しそのものの上下位置を動かす構造とはなっていない。
【考案の開示】
【考案が解決しようとする課題】
【０００３】従来の収納では棚板の位置を変更する際、棚板をはずした後にダボ等の部品をはずし、使用者の好みの位置にダボを取付直し、しかる後に棚板をはめ直す等の数アクションを経る必要があった。更に都合の良い位置に付け替えられるとも限らなく、加えて引出しに関しては位置が最初から固定され、本来希望する大きさに合致せず、製作者によって決められたサイズのみに限定され、使用方法が制約される。元来収納の基本は「物の居場所を作る」という事であるのだが、この数アクションが面倒なばかりに収納計画がおざなりとなり収納をどれ程用意しても結局、物が中に納まらないという現象が起こっている。計画を一度立てても変更の可能性は日常において何度も発生する。本考案の課題は、棚板や引出しの使い方の自由度を上げ、引出し位置・棚板の高さをデザイナーや製作者ではなく使用者の意思により自由に変更し、いかに容易に物の居場所を作る手段を提供するかという事にある。
【課題を解決するための手段】
【０００４】収納家具においてケーシングの内側、レール取付部分にあたる側板内側の水平方向に三角形状又は波形状の溝を多段に形成する事により、これらすべてをレールとする。この収納にはめ込まれる引出し・棚板の左右外側にも同様の溝加工を施しレール受けとする。従来の様な金具を取付けなくとも両者のオスメスの組合せによって引出し及び棚の位置移動を可能とする。
【考案の効果】
【０００５】以上の様な構成により本考案は以下のような効果を有する。
（イ）本考案のレール溝が多段に形成されている事により、これを取入れた収納内部において棚及び引出しの位置移動が容易かつ自由となる。収納物のサイズに細かく合わせて空間を分ける事が可能となり、使用者の物を使い楽しむ意欲を喚起し想像力を高める効果を持つ。
（ロ）引出しの為のレールやダボ穴を改めて設ける必要がなく、この面でのコストが下げられる。
（ハ）レールは側板内側に最初から形成されているものである事から、従来の様な取付けや穿孔工程が減る。
【実施例】
【０００６】以下に本考案の実施例を添付の図面を用いて説明する。
引出しはオープンでも使用できる、図１−１。すなわち中に入る物品の高さは引出しの深さとは関係がない。必要に応じ複数の引出しを重ねて使用、図１−２。もしくは引出し上に棚板を重ねて蓋として使用する、図１−３。壁面の収納計画例を挙げる。書籍の高さを揃え、収納の棚における最小限の空間を利用し、総合的により多くの書籍を効率的に収納する、図２−４。棚の前面を張り出してカウンター状にしデスクとする、図２−５。高さを使用者の体型に合せ、無理のない姿勢を保持できる。この他多様の家具に応用できる可能性を持つ。
【図面の簡単な説明】
【図１】本考案の単体家具の実施例を示す斜視図
【図２】本考案の壁面収納家具の実施例を示す斜視図
【符号の説明】
１は浅引出し
２は中引出し
３は棚板兼蓋兼トレイ
４は棚板
５はデスク天板
【図１】
0003104970.tif 000003
【図２】
0003104970.tif 000004
(57)【要約】      （修正有）【課題】勾配がないから、然したる腕力の必要もなく、車椅子を動かせる軽度の介護者なら自らでも福祉車へ搬入出来る簡易福祉機器車両を提供する。【解決手段】可動式床であるプラットホームと電動モーター駆動油圧器からなる。【選択図】図１
0003104968.tif 000002
【実用新案登録請求の範囲】
【請求項１】
ワゴン車やライトバンの後部の床が路面へ降下する事で、傾斜なく、車椅子が搭載できる福祉車両。
【考案の詳細な説明】
【考案の詳細な説明】
【考案が解決しようとする課題】
【０００１】車軸より低くシャーシーを設ける事は出来ず、或る空間を開けなければ路面との摩擦で車は走行もできない。この為、車の床は路面とは並行とならず、車椅子を搭載する場合には、その間の段差を橋渡しする滑り板を設ける必要があった。あるいは、二重床を用い、複雑に折曲がりする腕や伸縮機能を装備して、上部の床が車体よりせり出し、路面へ着地する電動リフトの福祉車両もあるが。この複雑な装備の電動リフトを簡素化し、車体からはみ出ず、勾配もなく、車の床が路面に着地し、車椅子を手軽に搬入できる考案である。
【課題を解決するための手段】
【０００２】ディファレンシャルギアが後部まで伸びない前輪駆動車を用いれば、左右の後輪を繋ぐパーツは不要となる。シャーシー以外のパーツの装着を移動する事で、両輪の間に空間も出来る。移動不可能なのは車の脊髄であるシャーシーであるが、このシャーシーの基本構造は、二列の従鉄骨と数本の横鉄骨からなる梯子型である。この梯子型の最後部の梯子段を取り払う。後部荷台に乗せる車椅子の幅は略６０ｃｍで、縦列の鉄骨の間はすり抜けるが、後部梯子段はすり抜けられないから、この段を取り払い、車椅子の面積分の床も切り取る。こうして車椅子が納まるスペースを確保し、この取り払った部分に、可動式の床を新たに設ける。その動力として上下だけに作動する電動モーター駆動油圧式で可動床とシャーシーを接続すれば、自在に路面まで降下し、平行と成って車椅子の搬入も手軽となる。尚、取り払った後部梯子段でシャーシーは弱体構造となるが、その補強は幾らでもある。さらに、バンパーも切り取ることは言うまでもなく、後部ドアーに取り付ける事も出来る。
【考案の効果】
【０００３】トラックのプラットホームが上下して積み下ろしするテールリフトは、１トン級の重量物も簡単に扱えて運送業界でも重宝されている。電動モーター駆動油圧式であるテールリフトが降昇する事で、路面と並行すれば、然程の腕力も体力も必要もなく、介抱者は勿論、車椅子の作動できる軽度の介護人なら、自身で自在に乗り降りも出来る。さらに、福祉機器で車内を占有しない。
【図面の簡単な説明】【図１】ワゴン車の斜視図で、テールリフトが路面へ降下した図である。（Ａ）プラットホーム  （Ｂ）電動モーター駆動油圧式の接続器具
【図２】後部から見た正面図です。（Ｃ）車椅子  （Ｄ）プラットホーム  （Ｅ）電動モーター駆動油圧式の接続器具  （Ｆ）シャーシー  （Ｇ）タイヤ
【図１】
0003104968.tif 000003
【図２】
0003104968.tif 000004